(57)【要約】      （修正有）【課題】トロン温泉と同等な効果を日常的に得ることができる浴用マットを提供する。【解決手段】気体透過性及び弾性を有するクッション材を主体とする原材料にもモナザイドを含有させてシート状に成形したマット本体２の表面２ａと裏面の２ｂの少なくとも一方に、凸部３と凹部４とを並べて配設する。【選択図】図１
0003176844.tif 000002
【実用新案登録請求の範囲】
【請求項１】
気体透過性及び弾性を有するクッション材を主体とする原材料にモナザイトを含有させてシート状に成形したマット本体の表面と裏面とのうち少なくとも一方には、凸部と凹部とを互いに並べて配設したことを特徴とする浴用マット。
【請求項２】
前記モナザイトは粉状体であることを特徴とする請求項１に記載の浴用マット。
【請求項３】
前記クッション材は合成ゴムであることを特徴とする請求項１または請求項２に記載の浴用マット。
【請求項４】
前記合成ゴムはシリコーンゴムであることを特徴とする請求項３に記載の浴用マット。
【請求項５】
前記合成ゴムはエチレンプロピレンゴムであることを特徴とする請求項３に記載の浴用マット。
【請求項６】
前記マット本体は表裏両面間を貫通する複数の小孔を有していることを特徴とする請求項１〜５のうちいずれか一つの請求項に記載の浴用マット。
【請求項７】
前記マット本体の裏面には凸部と凹部とを互いに並べて配設し、前記小孔はマット本体の裏面で凹部に貫通して開放されていることを特徴とする請求項６に記載の浴用マット。
【考案の詳細な説明】
【技術分野】
【０００１】
本考案は浴用マットの改良に関するものである。
【背景技術】
【０００２】
従来、ラドン温泉やトロン温泉などが健康増進のために一般的に知られている。ラドン温泉とは、ラジウムから放出される放射線のうち人体に有害なベータ線やガンマー線を遮蔽して治療に有効なアルファー線のみを抽出し、そこから生じるラドンを気体のまま浴槽へ送り込むものである。トロン温泉とは、トリウム元素が放出するエネルギーであるトロンを放射する鉱石の間を地下水が通って地底のマグマに温められ、そのトロンを含む地下水が地上に湧き出したものである。
【先行技術文献】
【特許文献】
【０００３】
【特許文献１】特開２００４−２４８６９８号公報
【考案の概要】
【考案が解決しようとする課題】
【０００４】
しかし、ラドン温泉やトロン温泉を利用するためにはそれぞれの施設にわざわざ行かなければならないため、日常的には頻繁に利用することができない。
そこで、本考案は、例えば上記の特許文献１で示すような浴用マットに着目し、特にトロン温泉と同等な効果を日常的に効率良く得ることができる浴用マットを提供することを目的としている。
【課題を解決するための手段】
【０００５】
後記実施形態の図面（図１）の符号を援用して本考案を説明する。
請求項１の考案にかかる浴用マット（１）においては、気体透過性及び弾性を有するクッション材を主体とする原材料にモナザイトを含有させてシート状に成形したマット本体（２）の表面（２ａ）と裏面（２ｂ）とのうち少なくとも一方には、凸部（３）と凹部（４）とを互いに並べて配設している。お湯を入れた浴槽内に沈めた浴用マット（１）内において、気体透過性及び弾性を有するクッション材に含有させたモナザイトからトロン（トリウム元素が放出するエネルギー）が発生し、そのクッション材からそのトロンが浴槽内のお湯に混ざって、浴槽内に入った利用者にそのトロンが接触する。そのため、利用者の健康増進に役立つ。
【０００６】
さらに、マット本体（２）の表面（２ａ）と裏面（２ｂ）とのうち少なくとも一方には、凸部（３）と凹部（４）とを互いに並べて配設したので、表面（２ａ）または裏面（２ｂ）または表面（２ａ）及び裏面（２ｂ）の面積が増加する。従って、モナザイトから発生するトロンの量が増加して、利用者の健康増進により一層役立つ。
【０００７】
請求項１の考案を前提とする請求項２の考案において、前記モナザイトは粉状体である。そのモナザイトが粉状体であると、モナザイト粉からトロン（トリウム元素が放出するエネルギー）が効率的に発生する。
【０００８】
請求項１または請求項２の考案を前提とする請求項３の考案において、前記クッション材は合成ゴムである。シリコーンゴムやエチレンプロピレンゴムなどの合成ゴムは、天然ゴムと比較して使い勝手が良い。
【０００９】
請求項３の考案を前提とする請求項４の考案において、前記合成ゴムはシリコーンゴムである。気体透過性の極めて高いシリコーンゴムでは、浴槽内でシリコーンゴムを通ってお湯に混ざるトロンの量が多くなるため、その健康増進を他のゴムよりも期待することができる。
【００１０】
請求項３の考案を前提とする請求項５の考案において、前記合成ゴムはエチレンプロピレンゴムである。エチレンプロピレンゴムは、気体透過性がある程度良く、しかも安価であるため、クッション材として利用し易い。
【００１１】
請求項１〜５のうちいずれか一つの請求項の考案を前提とする請求項６の考案において、マット本体（２）は表裏両面（２ａ，２ｂ）間を貫通する複数の小孔（５）を有している。お湯を入れた浴槽内に浴用マット（１）を沈めた際に、小孔（５）がお湯を通すために浴用マット（１）が浮き上がりにくくなる。
【００１２】
請求項６の考案を前提とする請求項７の考案において、前記マット本体（２）の裏面（２ｂ）には凸部（３）と凹部（４）とを互いに並べて配設し、前記小孔（５）はマット本体（２）の裏面（２ｂ）で凹部（４）に貫通して開放されている。お湯を凹部（４）から小孔（５）に通すので、小孔（５）へのお湯の通りが良くなる。
【考案の効果】
【００１３】
本考案にかかる浴用マット（１）は、トロン温泉と同等な効果を日常的に得ることができるばかりでなく、マット本体（２）の表面（２ａ）と裏面（２ｂ）とのうち少なくとも一方に互いに並べて配設した凸部（３）と凹部（４）とにより、マット本体（２）の表面（２ａ）または裏面（２ｂ）または表面（２ａ）及び裏面（２ｂ）の面積が増加し、モナザイトから発生するトロンの量を増加させて、利用者の健康増進により一層役立つ。
【図面の簡単な説明】
【００１４】
【図１】（ａ）は浴用マットを示す平面図であり、（ｂ）は浴用マットを示す底面図であり、（ｃ）は浴用マットを示す断面図である。
【考案を実施するための形態】
【００１５】
以下、本考案の一実施形態にかかる浴用マットについて図１を参照して説明する。
浴用マット１は、気体透過性及び弾性を有するクッション材、例えば、合成ゴムであるシリコーンゴムを主体とする原材料にモナザイト（モナズ石）の粉を混練させてシート状に圧縮成形したマット本体２を備えている。モナザイト粉の配合量は全体の１０〜２０％程度である。クッション材としてエチレンプロピレンゴムを採用してもよい。
【００１６】
マット本体２の表面２ａと裏面２ｂとにはそれぞれ凸部３と凹部４とが互いに並べて配設されている。マット本体２には表面２ａの凸部３と裏面２ｂの凹部４との間で複数の小孔５が貫通して形成されてマット本体２の裏面２ｂで凹部４に開放されている。
【００１７】
気体透過性とは気体（ガス）が通過する性質である。特に、シリコーンゴムにおいては、その気体透過性が大きな特徴の一つで、他のゴムと比較して非常に高い値を示す。
モナザイトは、希土類元素であるセリウム、ランタン、ネオジムを主成分とする燐酸塩鉱物であって、微量成分としてトリウムを含むため、放射能を持つ。ちなみに、例えば、モナザイトの粉状体の平均粒径は、通常、０．１〜１０μｍであり、１．０〜５．０μｍであることが好ましく、特に限定されない。
【００１８】
浴用マット１は例えば次のようにして使用する。
１０ｃｍほど水を溜めた浴槽内に浴用マット１を沈めて約１時間置く。約１時間後にぬるめのお湯（３７〜４０℃）を浴槽内に入れる。その際、一枚の浴用マット１あたり１８０〜２００リットルのお湯を目安にする。浴槽内の浴用マット１内では、シリコーンゴムに混練されたモナザイト粉からトロン（トリウム元素が放出するエネルギー）が発生し、気体透過性の極めて高いシリコーンゴムからそのトロンが浴槽内のお湯に混ざる。利用者が浴槽内に入ってお湯にゆったり長めに浸ると、お湯に混ざったトロンが利用者に接触するため、トロン温泉と同様に利用者の健康増進に役立つ。
【００１９】
本実施形態は下記の効果を有する。
（１）  お湯を入れた浴槽内に浴用マット１を沈めると、浴用マット１内において、気体透過性及び弾性を有するシリコーンゴムに混練させたモナザイト粉からトロンが効率良く発生し、そのシリコーンゴムからそのトロンが浴槽内のお湯に混ざって、浴槽内に入った利用者にそのトロンが接触するため、利用者の健康増進に役立つ。気体透過性の極めて高いシリコーンゴムでは、浴槽内でシリコーンゴムを通ってお湯に混ざるトロンの量が多くなるため、その健康増進を他のゴムよりも期待することができる。従って、浴用マット１によりトロン温泉と同等な効果を日常的に得ることができる。また、エチレンプロピレンゴムは、気体透過性がある程度良く、しかも安価であるため、クッション材として利用し易い。
【００２０】
（２）  マット本体２の表面２ａ及び裏面２ｂには凸部３と凹部４とを互いに並べて配設したので、表面２ａ及び裏面２ｂの面積が増加し、モナザイトから発生するトロンの量が増加して、利用者の健康増進により一層役立つ。
【００２１】
（３）  お湯を入れた浴槽内に浴用マット１を沈めた際に、小孔５が浴用マット１の裏面２ｂ側の凹部４から表面２ａ側の凸部３へお湯を通すため、浴用マット１の裏面２ｂ側に生じる浮力が軽減して浴用マット１が浮き上がりにくくなる。その際、お湯を凹部４から小孔５に通すので、小孔５へのお湯の通りが良くなる。
【００２２】
前記実施形態以外にも例えば下記のように構成してもよい。
・  モナザイトとしては、粉状体以外に、微細なモナザイト塊をシリコーンゴムに混ぜてもよい。
【００２３】
・  浴槽内に沈めて使用する浴用マット１以外に、浴槽内で背もたれとして使用する浴用マットや、浴室の洗い場で敷物として使用する浴用マットに利用できるように、その利用にあった形態に変更することができる。
【００２４】
・  クッション材としては、シリコーンゴムやエチレンプロピレンゴムなどの合成ゴムに代えて、気体透過性及び弾性を有する天然ゴムを採用してもよい。ただし、シリコーンゴムやエチレンプロピレンゴムなどの合成ゴムは、天然ゴムと比較して使い勝手が良い。
【００２５】
・  クッション材としては、合成ゴムや天然ゴムに代えて、気体透過性及び弾性を有するエラストマや連続気泡の発泡体を採用してもよい。
・  浴用マット１の成形としては、圧縮成形法以外の周知の成形法を採用してもよい。
【００２６】
・  浴用マット１において各小孔５を省略してもよい。
【符号の説明】
【００２７】
１…浴用マット、２…マット本体、２ａ…表面、２ｂ…裏面、３…凸部、４…凹部、５…小孔。
【図１】
0003176844.tif 000003